(57)【要約】【課題】接続管のヘッドねじ込み部に対してスプリンクラーヘッドを取り付けたり、取り外す際に、天井開口部回りを壊すことなく、固定されていない接続管を一時的に固定して接続管の変形や損傷を防止して作業する。【解決手段】操作レバー２の上端部に回動自在に軸支された作業具３からなり、作業具３は、接続管１２のヘッドねじ込み部１３の対辺寸法に相当する内面間隔の開口３ａを形成したあご部３１を有し、天井１４に形成された開口部１４ａの内周面とスプリンクラーヘッド１１の外周面との隙間を通して天井裏側に挿入され、操作レバー２に対して回動した作業具３のあご部３１が接続管１２のヘッドねじ込み部１３の対向する二面を挟み込んで支持する。これにより、スプリンクラーヘッド１１を回転操作するとき、接続管１２が回転しないように支持することができる。【選択図】図５
2008119771.tif 000002
【特許請求の範囲】
【請求項１】
操作レバーの上端部に回動自在に軸支された作業具からなり、作業具は、接続管のヘッドねじ込み部の対辺寸法に相当する内面間隔の開口を形成したあご部を有し、天井に形成された開口部の内周面とスプリンクラーヘッドの外周面との隙間を通して天井裏側に挿入され、そのあご部が操作レバーに対して回動して接続管のヘッドねじ込み部の対向する二面を挟み込んで支持することを特徴とするスプリンクラーヘッド施工治具。
【発明の詳細な説明】
【技術分野】
【０００１】
この発明は、接続管にスプリンクラーヘッドを取り付けたり、取り外す際に使用する施工治具に関するものである。
【背景技術】
【０００２】
従来より、スプリンクラーヘッドは、接続管の一端部に形成されたヘッドねじ込み部にねじ結合されており、接続管の他端部が、天井の裏側に配管されている消火配管にチーズなどの継手部を介して接続されている。
【０００３】
ここで、接続管としては、蛇腹部を有するステンレス製のフレキシブル管が採用されており、これにより、エルボなどの管継手を使用して短管を接続して接続管を形成する場合に比較して、部品点数が少なくなり、水漏れもなく、施工が容易で安全性に優れるなどの利点を有している（例えば、特許文献１参照）。
【特許文献１】実用新案登録第２５５０５０５号公報
【発明の開示】
【発明が解決しようとする課題】
【０００４】
ところで、前述した接続管のヘッドねじ込み部に対してスプリンクラーヘッドを取り付けたり、取り外す場合、接続管が固定されていないため、接続管のヘッドねじ込み部に対してスプリンクラーヘッドを直接回転させると、フレキシブル管である接続管が変形し、破損するおそれがある。
【０００５】
このため、現状においては、スプリンクラーヘッドを取り付けるための天井の開口部回りを壊して大きく開口し、その隙間を通してパイプレンチなどを挿入して接続管のヘッドねじ込み部を固定し、その状態でヘッド回しを利用してスプリンクラーヘッドを回転させて取り外したり、取り付けたりしている。この結果、作業性が低下し、工期が長期化するとともに、コストがかさむという問題があった。
【０００６】
なお、接続管のヘッドねじ込み部を特殊な固定金具を使用して固定する場合に、該固定金具を回転しないように固定してフレキシブル管の共回りを規制する治具も提案されているが、特殊な固定金具を使用しない場合、すなわち、接続管が固定されていない場合には、採用することはできない。
【０００７】
本発明は、このような問題点に鑑みてなされたもので、接続管のヘッドねじ込み部に対してスプリンクラーヘッドを取り付けたり、取り外す際に、天井開口部回りを壊すことなく、接続管を一時的に固定して接続管の変形や損傷を防止して作業することのできるスプリンクラーヘッド施工治具を提供するものである。
【課題を解決するための手段】
【０００８】
本発明は、操作レバーの上端部に回動自在に軸支された作業具からなり、作業具は、接続管のヘッドねじ込み部の対辺寸法に相当する内面間隔の開口を形成したあご部を有し、天井に形成された開口部の内周面とスプリンクラーヘッドの外周面との隙間を通して天井裏側に挿入され、そのあご部が操作レバーに対して回動して接続管のヘッドねじ込み部の対向する二面を挟み込んで支持することを特徴とするものである。
【０００９】
本発明によれば、天井に形成された開口部の内周面とスプリンクラーヘッドの外周面との隙間を通して施工治具の作業具を天井裏側に差し込み、操作レバーに対して作業具を回動させ、そのあご部によって接続管のヘッドねじ込み部の対向する二面を挟み込み、回転しないように一時的に固定する。この状態で、スプリンクラーヘッドを回転操作するとき、スプリンクラーヘッドの回転に伴って接続管が回転するのを確実に防止することができる。
【００１０】
この結果、接続管の回転に伴う変形や損傷を防止することができる。
【発明の効果】
【００１１】
本発明によれば、接続管のヘッドねじ込み部に対してスプリンクラーヘッドを取り付けたり、取り外す際に、天井開口部回りを壊すことなく、固定されていない接続管を一時的に固定して接続管の変形や損傷を防止して作業することができる。
【発明を実施するための最良の形態】
【００１２】
以下、本発明の実施の形態を図面に基づいて説明する。
【００１３】
図１には、本発明のスプリンクラーヘッド施工治具の一実施形態が示されている。
【００１４】
この施工治具１は、Ｌ字状に折曲された操作レバー２と、操作レバー２の上端部に回動自在に軸支された略Ｈ字状に形成された作業具３とから構成されている。そして、操作レバー２は、その上端部に取付部２１が形成されている。また、作業具３は、スプリンクラーヘッド１１を接続するため、ステンレス製のフレキシブル管である接続管１２の他端部に設けられたヘッドねじ込み部１３の対辺寸法（対向する二面の幅）に相当する内面間隔の開口３ａを形成したあご部３１を有するとともに、操作レバー２の取付部２１の幅に相当する内面間隔の開口３ｂを形成した取付片３２を有している。したがって、操作レバー２の取付部２１に形成されたピン穴２ｘに、作業具３の各取付片３２に形成されたピン穴３ｘを通して軸ピン４を挿入することにより、操作レバー２に対して作業具３を回動自在に軸支することができる。この場合、作業具３は、操作レバー２に連続する平面を形成する挿入位置と、操作レバー２に対して９０度折曲した作業位置との間を回動するように、寸法が設定されている。また、あご部３１の根元に応力集中が発生するのを防止するため、根元にはＲ加工が施されている。
【００１５】
ここで、スプリンクラーヘッド１１が取り付けられる天井１４の開口部１４ａは、メーカーや製品によっても相違するが、ほぼ５０ｍｍ程度が多いこと、スプリンクラーヘッド１１の外径は４０ｍｍ程度であることから、天井１４の開口部１４ａの内周面とスプリンクラーヘッド１１の外周面との差は、半径方向で５ｍｍとなる。このため、施工治具１の厚みは、最大５ｍｍ程度となることから、鋼材などによって形成して、ヘッドねじ込み部１３の支持強度を確保する必要がある。
【００１６】
なお、スプリンクラーヘッド１１を回転操作するためのヘッド回し５は、図２に示すように、円筒状本体部５１の上端面に、スプリンクラーヘッド１１の外周面に周方向に間隔をおいて形成された複数個の溝１１ａに対応する複数個の爪片５２を突出形成するとともに、本体部５１の基端部に直径方向に貫通する挿通穴５ａを形成したものである。
【００１７】
したがって、スプリンクラーヘッド１１の溝１１ａにヘッド回し５の爪片５２を係合し、挿通穴５ａにドライバーなどを挿通して、本体部５１を回転操作することにより、スプリンクラーヘッド１１を接続管１２のヘッドねじ込み部１３に対してねじ込んで取り付けたり、ゆるめて取り外すことができる。
【００１８】
次に、このように構成した施工治具１をヘッド回し５とともに用いてスプリンクラーヘッド１１を交換する要領について説明する。
【００１９】
まず、スプリンクラーヘッド１１の溝１１ａにヘッド回し５の爪片５２を係合し、ヘッド回し５を保持した状態で、その本体部５１の外周面に沿って施工治具１を持ち上げる（図３参照）。これにより、施工治具１の作業具３を天井１４の開口部１４ａの内周面およびスプリンクラーヘッド１１の外周面間の隙間を通して天井裏側に差し込む（図４参照）。次いで、施工治具１の作業具３を軸ピン４回りに９０度回動させ、接続管１２のヘッドねじ込み部１３の対向する二面を挟み込むようにあご部３１を落とし込む。したがって、施工治具１を保持することにより、作業具３のあご部３１を介して接続管１２のヘッドねじ込み部１３を回転しないように支持することができる。このようにして、接続管１２の回転を施工治具１によって阻止した状態で、ヘッド回し５の挿通穴５ａにドライバーなどを挿通して、本体部５１を回転操作することにより、スプリンクラーヘッド１１を接続管１２のヘッドねじ込み部１３に対してゆるめて取り外すことができる。この際、スプリンクラーヘッド１１の回転に伴って接続管１２ヘッドねじ込み部１３が回転しようとするのを、施工治具１を介して回転しないように保持することができる。
【００２０】
スプリンクラーヘッド１１が取り外されたならば、新たなスプリンクラーヘッドを接続管１２のヘッドねじ込み部１３にねじ込み、最終的にヘッドねじ込み部１３を施工治具１で回転しないように保持した状態で、ヘッド回し５を回転操作してスプリンクラーヘッド１１を接続管１２のヘッドねじ込み部１３に対して締め込めばよい。
【００２１】
スプリンクラーヘッド１１の交換作業が終了すれば、スプリンクラーヘッド１１からヘッド回し５を離脱させるとともに、施工治具１を引き下ろすことにより、操作レバー２に対して作業具３が連続する平面を形成するように逆方向に９０度回動しつつ、天井１４の開口部１４ａの内周面およびスプリンクラーヘッド１１の外周面間の隙間を通して天助裏側から引き出すことができる。
【００２２】
以下、同様に作業して、他のスプリンクラーヘッド１１についても交換作業を行えばよい。
【００２３】
この結果、接続管１２のヘッドねじ込み部１３を回転しないように一時的に固定することができ、接続管１２の変形や損傷を確実に防止してスプリンクラーヘッド１１を取り付けたり、取り外すことができる。しかも、室内側から天井開口部回りを壊すことなく１人の作業者によって施工することができ、短時間でスプリンクラーヘッド１１の取り付けや取り外しを行うことができる。
【００２４】
なお、前述した実施形態においては、接続管１２のヘッドねじ込み部１３を雌ねじに形成する一方、スプリンクラーヘッド１１を雄ねじに形成した場合を説明したが、接続管１２のヘッドねじ込み部１３を雄ねじに形成する一方、スプリンクラーヘッド１１を雌ねじに形成した場合であっても、同様に作業することができる。
【図面の簡単な説明】
【００２５】
【図１】本発明のスプリンクラーヘッド施工治具の一実施形態を示す斜視図である。
【図２】スプリンクラーヘッドを回転操作するヘッド回しを示す斜視図である。
【図３】図１の施工治具を用いてスプリンクラーヘッドを取り外す場合の施工要領を説明する説明図である。
【図４】図１の施工治具を用いてスプリンクラーヘッドを取り外す場合の施工要領を説明する説明図である。
【図５】図１の施工治具を用いてスプリンクラーヘッドを取り外す場合の施工要領を説明する説明図およびその平面図である。
【符号の説明】
【００２６】
１  施工治具
２  操作レバー
３  作業具
３１  あご部
５  ヘッド回し
１１  スプリンクラーヘッド
１２  接続管
１３  ヘッドねじ込み部
１４  天井
１４ａ  開口部
【図１】
2008119771.tif 000003
【図２】
2008119771.tif 000004
【図３】
2008119771.tif 000005
【図４】
2008119771.tif 000006
【図５】
2008119771.tif 000007